(57)【特許請求の範囲】
【請求項１】
線材を螺旋状に巻いた杭本体部と、
当該杭本体部の基端部における前記線材の巻き終わり部分に形成された巻座部とを有し、
前記杭本体部は、前記線材の軸線方向と、前記杭本体部の中心軸線に対して垂直な平面とがなす角度である捩れ角が４５度以上の螺旋状であり、
前記杭本体部の先端は、前記線材を単一の平面で切断した形状となっており、
前記巻座部は、前記中心軸線を中心とする中心角２７０度以上の円弧状に前記線材を巻いた円弧部、および、当該円弧部の一端から当該円弧部の径方向中心側に屈曲させた前記線材を前記中心軸線を越える位置まで直線状に延ばした直線部を備えることを特徴とするラセン杭。
【請求項２】
請求項１において、
前記杭本体部の先端に形成された前記線材の切断面は、当該先端における前記線材の軸線方向に対して、前記杭本体部における前記中心軸線の側に傾いた面であることを特徴とするラセン杭。
【請求項３】
請求項１または２において、
前記線材の断面形状は直径６ｍｍ以上の円形断面であり、
前記杭本体部および前記巻座部の外径は４２ｍｍであり、
前記杭本体部の前記中心軸線方向における長さは２００ｍｍ以上であることを特徴とするラセン杭。
【請求項４】
請求項１ないし３のいずれかの項に記載のラセン杭の打設方法であって、
充電式の電動インパクトドライバーの先端に、前記巻座部を着脱可能に装着するためのチャックを設け、
当該チャックは、前記電動インパクトドライバーの回転軸線と前記杭本体部の中心軸線とが一致した状態となるように前記ラセン杭を装着可能であり、
前記電動インパクトドライバーの出力回転を前記チャックを介して前記ラセン杭に伝達することにより、前記ラセン杭を打設することを特徴とするラセン杭の打設方法。
【請求項５】
請求項４において、
前記チャックは、
前記直線部を挟むためのクランプ部材と、
前記直線部を挟んだ状態で前記クランプ部材をロックするためのロック機構と、
前記クランプ部材に前記直線部が挟まれた状態で前記円弧部をガイドするガイド部とを備え、
前記ロック機構によって前記巻座部の前記チャックからの離脱を防止すると共に、前記ガイド部によって前記杭本体部の前記回転軸線に対する傾きを制限した状態で、前記電動インパクトドライバーによる前記ラセン杭の打設を行うことを特徴とするラセン杭の打設方法。
【請求項６】
所定の凹凸パターンが形成されたエンボス状の防草用シートを地面に敷設し、
請求項１ないし３のいずれかの項に記載のラセン杭を、請求項４または５に記載のラセン杭の打設方法により、前記防草用シートの上から所定間隔で地面に打設することにより、前記防草用シートを地面に固定し、
各ラセン杭は、前記防草用シートを貫通すると共に、前記円弧部および前記直線部を形成している各線材が前記凹凸パターンにおける凸部間の隙間に嵌まった状態となるように打設されることを特徴とする防草用シートの施工方法。
【発明の詳細な説明】
【技術分野】
【０００１】
本発明は、ラセン杭およびその打設方法に関する。また、防草シートを地面に敷設してこれをラセン杭で地面に固定する防草シートの施工方法に関する。
【背景技術】
【０００２】
道路脇や線路脇の地面が舗装されていない場合には、地面に生える雑草が景観を悪化させ、車両の通行を妨げるという問題点がある。これを解消し、景観の維持と交通安全の確保を図るためには、定期的に除草作業を行わなければならない。そこで、このような除草作業を不要にするため、遮光性および防水性のシート材（防草用シート）を地面に敷設することが提案されている。特許文献１には、この種の防草用シートが開示されている。
【０００３】
特許文献１では、除草すべき地面に防草用シート（エンボスシート）を並べた後、アンカーピンを所定間隔で防草用シートの上から地面に打ち込むことにより、防草用シートを地面に固定する。アンカーピンとしては、頭部を折り曲げたストレート形状の杭が用いられている。また、防草用シートが凹凸のあるエンボスシートであるため、シート端部を折り曲げて土中に埋め込むことにより、シート端部のめくれ上がりを防止することができる。
【先行技術文献】
【特許文献】
【０００４】
【特許文献１】特開２００６−１７７１２２号公報
【発明の概要】
【発明が解決しようとする課題】
【０００５】
特許文献１のように杭を打設して防草用シートを固定する場合、防草用シートの浮き上がりやめくれを確実に防止するためには、杭の引抜荷重を大きくして杭を抜けにくくする必要がある。しかしながら、ストレート形状の杭の場合、引抜荷重を大きくするためには杭の長さを長くする必要があり、打設可能な場所が限定されてしまう。また、地面に杭を打設する場合、人力で杭の頭を叩いて打ち込むのが一般的であるが、このような打設作業は作業負荷が大きい。また、ストレート形状の杭を人力で打設する場合、安定して垂直荷重をかけにくく、打設時の作業性が良好とはいえない。更に、打設時に荷重方向がずれることにより、杭が変形したり傾いてしまうなどの問題点もある。
【０００６】
本発明の課題は、このような点に鑑みて、長さが短くても十分な引抜荷重を得ることができ、抜け難く打設作業が容易なラセン杭およびその打設方法、ならびに、防草用シートを浮き上がりやめくれが発生しないように地面に固定する作業を少ない作業負荷で行うことができる防草用シートの施工方法を提案することにある。
【課題を解決するための手段】
【０００７】
上記の課題を解決するために、本発明のラセン杭およびその打設方法、ならびに防草用シートの施工方法は、次の通りに構成されていることを特徴としている。
【０００８】
すなわち、本発明のラセン杭は、
線材を螺旋状に巻いた杭本体部と、
当該杭本体部の基端部における前記線材の巻き終わり部分に形成された巻座部とを有し、
前記杭本体部は、前記線材の軸線方向と、前記杭本体部の中心軸線に対して垂直な平面とがなす角度である捩れ角が４５度以上の螺旋状であり、
前記杭本体部の先端は、前記線材を単一の平面で切断した形状となっており、
前記巻座部は、前記中心軸線を中心とする中心角２７０度以上の円弧状に前記線材を巻いた円弧部、および、当該円弧部の一端から当該円弧部の径方向中心側に屈曲させた前記
線材を前記中心軸線を越える位置まで直線状に延ばした直線部を備えることを特徴としている。
【０００９】
本発明のラセン杭は、このような構成により、杭本体部に垂直荷重をかけながらその中心軸線を中心として回転させることにより、容易に地面に打ち込むことができる。また、打ち込み後は垂直方向への引抜荷重が大きいため、簡単に地面から引き抜くことはできない。よって、物体を地面に強固に固定することができる。本発明者は、各種の形状のラセン杭を試作し、試験土への打設試験を行った。その結果、杭先端における線材の向きと地面との傾きを４５度以上としたときに、線材を変形させることなく、杭を試験土中に打ち込み可能となり、打設時の作業性も良いことを確認している。また、杭本体部の先端部分の線材を単一の平面で切断して杭本体部の先端に刃先を形成したときに、打設面に食い込みやすく、打設時の抵抗が少なくなり、打設面に敷いたシート材を貫通できることを確認している。従って、打設時の荷重による杭本体部の変形を抑制し、容易に打設可能とするために、上記のような構成を採用している。
【００１０】
加えて、本発明のラセン杭は、杭本体部の基端部に、杭本体部と同心状の円弧部、および、杭本体部の中心軸線上を通る直線部を備える巻座部を形成しているため、この巻座部を介して、杭の中心軸線上に安定した垂直荷重を加えることができる。また、直線部を介して回転力を加えることにより、杭本体部に中心ずれのない回転力を加えることができる。更に、２７０度以上の角度範囲に円弧部を設けているため、円弧部をガイドすることによって杭本体部の傾きや荷重位置のずれを抑制できる。従って、打設時の作業性が良好であり、垂直荷重および回転力の中心ずれによる線材の変形や杭の傾きも発生しにくい。更に、巻座部は、電動インパクトドライバーなどの電動工具の出力軸に対して同軸状に杭を装着することが容易な形状であるため、電動工具の利用によって作業負荷を大幅に軽減できる。
【００１１】
本発明において、前記杭本体部の先端に形成された前記線材の切断面は、当該先端における前記線材の軸線方向に対して、前記杭本体部における前記中心軸線の側に傾いた面であることが望ましい。このように構成すると、切断面によって杭本体部の先端に形成される刃先が、杭の打設面に対して大きく傾いた形状となる。従って、杭本体部の先端を打設面に容易に食い込ませることができる。
【００１２】
また、本発明において、前記線材の断面形状は直径６ｍｍ以上の円形断面であり、前記杭本体部および前記巻座部の外径は４２ｍｍであり、前記杭本体部の前記中心軸線方向の長さは２００ｍｍ以上であることが望ましい。本発明者は、線材の直径、杭本体部および巻座部の外径、杭本体部の長さ、等の各寸法が異なる各種のラセン杭を試作して、その打設試験を行い、打設時の作業性、変形、打設後のラセン杭の引抜荷重などの確認を行った。そして、その結果、打設時にラセン杭を変形させることなく、且つ、十分な大きさの引抜荷重を得るためには、上記のような寸法を採用することが望ましいと判断している。
【００１３】
次に、本発明は、上記のラセン杭の打設方法であって、
充電式の電動インパクトドライバーの先端に、前記巻座部を着脱可能に装着するためのチャックを設け、
当該チャックは、前記電動インパクトドライバーの回転軸線と前記杭本体部の中心軸線とが一致した状態となるように前記ラセン杭を装着可能であり、
前記電動インパクトドライバーの出力回転を前記チャックを介して前記ラセン杭に伝達することにより、前記ラセン杭を打設することを特徴としている。
【００１４】
本発明は、このように、ラセン杭を電動インパクトドライバーに着脱可能に装着し、電動インパクトドライバーの出力回転によってラセン杭を打設することができるため、従来の人力による打設作業と比較して、作業負荷を大幅に軽減できる。特に、充電式の電動インパクトドライバーは電源コードを引き回す必要がないため、極めて作業性が良好である。また、ラセン杭に安定して垂直荷重および回転力を加えることができる巻座部を着脱可能なチャックを設けて、電動インパクトドライバーの回転軸線に対して同軸状にラセン杭を装着可能にしたため、作業性が極めて良好であり、安定した打設作業を行うことができる。また、ラセン杭の変形や傾きなどの不具合も発生しにくい。
【００１５】
本発明において、前記チャックは、前記直線部を挟むためのクランプ部材と、前記直線部を挟んだ状態で前記クランプ部材をロックするためのロック機構と、前記クランプ部材に前記直線部が挟まれた状態で前記円弧部をガイドするガイド部とを備え、前記ロック機構によって前記巻座部の前記チャックからの離脱を防止すると共に、前記ガイド部によって前記杭本体部の前記回転軸線に対する傾きを制限した状態で、前記電動インパクトドライバーによる前記ラセン杭の打設を行うように構成することができる。このようにすると、ラセン杭に手を添えなくとも安定した垂直荷重および回転力を加えることができ、両手で垂直荷重を加えることができる。従って、作業性が極めて良好である。また、チャックへの巻座部の着脱も容易である。
【００１６】
次に、本発明の防草用シートの施工方法は、
所定の凹凸パターンが形成されたエンボス状の防草用シートを地面に敷設し、
上記のラセン杭を、上記のラセン杭の打設方法により、前記防草用シートの上から所定間隔で地面に打設することにより、前記防草用シートを地面に固定し、
各ラセン杭は、前記防草用シートを貫通すると共に、前記円弧部および前記直線部を形成している各線材が前記凹凸パターンにおける凸部間の隙間に嵌まった状態となるように打設されることを特徴としている。
【００１７】
本発明によれば、引抜荷重の大きいラセン杭によって防草用シートを地面に固定するため、防草用シートを浮き上がりやめくれが発生しないように地面に固定することができる。また、このラセン杭は、打設時の作業性が良好であり、杭の変形や傾きなども発生しにくい。そして、打設作業を電動インパクトドライバーを用いて行うことにより、作業負荷が大幅に軽減されると共に、電源コードを引き回す必要がない点で極めて作業性が高い。更に、打設が完了したときには、ラセン杭の巻座部の各部を形成している線材が、それぞれ、凹凸パターンの凸部間の隙間に嵌まった状態が形成されるため、巻座部の回転が困難であり、ラセン杭の抜け方向への回転が困難である。従って、ラセン杭が抜け難いという利点もある。
【発明の効果】
【００１８】
本発明によれば、ラセン杭の先端が打設面に食い込みやすく、シート材なども貫通可能であるため、打設時の抵抗が少なく打設作業が容易である。また、巻座部に安定した垂直荷重を加えることができると共に、杭本体部と同心状の回転力を容易に加えることができる。従って、打設時の作業性が良く、変形や傾きなども発生しにくい。そして、打設後のラセン杭は引抜荷重が大きく、簡単に地面から引き抜くことはできない。従って、防草用シートなどの物体を強固に地面に固定できる。更に、電動インパクトドライバーなどの電動工具を用いて打設作業を行うことができるため、従来の人力による打設作業と比較して、作業負荷を大幅に軽減できる。
【図面の簡単な説明】
【００１９】
【図１】本発明の実施の形態に係るラセン杭の側面図である。
【図２】図１のラセン杭を巻座部側から見た平面図である。
【図３】電動インパクトドライバーにチャックを介してラセン杭を装着した状態を示す側面図である。
【図４】チャックの側面図および平面図である。
【図５】チャックの縦断面図（図４（ｂ）のＸ−Ｘ断面図、図４（ｂ）のＹ−Ｙ断面図）である。
【図６】クランプ部材の動作を示す説明図である。
【図７】防草用シートを施工した地面の断面構成を示す説明図である。
【図８】施工後の防草用シートにおけるラセン杭の固定箇所を示す平面図である。
【発明を実施するための形態】
【００２０】
以下に、図面を参照して、本発明を適用したラセン杭およびその打設方法の実施の形態を説明する。
【００２１】
（ラセン杭の構成）
図１は本発明の実施の形態に係るラセン杭の側面図であり、図２はラセン杭を巻座部側からみた平面図である。ラセン杭１は、φ６ｍｍの円形断面の線材１ａを螺旋状に巻いた杭本体部２と、杭本体部２の基端部に形成された巻座部３とを備えている。線材１ａの素材としては、例えば、Ｓ４５Ｃなどの鋼材を用いることができる。杭本体部２の螺旋形状は、その外径Ｌ１が４２ｍｍであり、捩れ角θが４５度となるように設定されている。また、杭本体部２の基端部から先端までの長さＬ２は２００ｍｍであり、線材１ａが約３周巻かれる長さに設定されている。
【００２２】
杭本体部２の先端は、線材１ａを平面で斜めに切断した形状となっている。本実施形態では、この切断面４が、杭本体部２の中心軸線Ａの側を向いた上向きの面となっており、切断面４の下側の縁部分が線材１ａの外周面と鋭角をなすように交差している。このため、杭本体部２の先端には、切断面４の縁に沿った下向きの鋭い刃先が形成されている。このような刃先を形成することにより、ラセン杭１を打設する際に、打設面に杭の先端を容易に食い込ませることができる。従って、杭本体部２に加わる抵抗が少なく、小さな力で打設可能となり、線材１ａの変形を抑制できる。なお、切断面４の向きは、図１に図示する向きに限定されるものではないが、杭本体部２の先端における線材１ａの軸線方向（接線方向）に対して中心軸線Ａの側に傾いている面を切断面４とすることが望ましい。このようにすると、切断面４の縁に形成される刃先の打設面に対する角度を、線材１ａの捩れ角である４５度よりも大きな角度とすることができる。従って、切断面４を打設面に容易に食い込ませることができる。
【００２３】
杭本体部２を形成している線材１ａは、杭本体部２の基端部（螺旋形状の巻き終わり部分）において水平方向に屈曲した後、巻座部３を形成している。巻座部３は、この屈曲位置を起点として、中心軸線Ａを中心とする中心角２７０度の円弧状に線材１ａを延ばした後、円弧の径方向中心側に線材１ａを屈曲させて中心軸線Ａを越える位置まで延ばした形状となっている。すなわち、巻座部３は、杭本体部２と同心状の円弧部５と、円弧部５の一端から中心軸線Ａ上を通って円弧部５の対向する部位の手前まで延びる直線部６とを備えている。
【００２４】
本発明者は、ラセン杭１の構成を決定するにあたって、線材１ａの太さ、杭本体部２の外径Ｌ１、杭の長さＬ２、捩れ角θ、等が異なる各種の試験体を作成し、これらを用いて各種の試験土への打設試験を行った。そして、打設時の作業性、試験体の変形の有無、打設後の引抜荷重などの確認試験を行った。また、比較例として直線状のストレート杭を用いて試験を行った。その結果、ラセン杭１の先端における線材１ａの傾きが、打設する地面に対して４５度未満となる試験体では、線材１ａを地面にねじ込むのが困難であった。また、６ｍｍよりも細い線材１ａを用いた試験体では、線材１ａの折れ曲がりが発生し、打設が困難であった。更に、杭本体部２の外径が４２ｍｍよりも大きい試験体では線材１ａの折れ曲がりが発生した。
【００２５】
また、引抜荷重については、杭を長くすると引抜荷重が増大するものの、２００ｍｍを超えると引抜荷重の向上効果が低下し、その一方、２００ｍｍを下回ると、大幅な引抜荷重の低下が発生した。また、ラセン杭は、その長さがストレート杭の半分程度であってもストレート杭よりも大幅に引抜荷重が大きいことを確認した。例えば、礫＋シルトおよび粘土質の２種類の試験土では、ラセン杭１の引抜荷重が４０ｋｇｆ以上となることを確認した。また、実際の地面（硬い土、柔らかい土）への打設時の引抜荷重は、硬い土で３０ｋｇｆ、柔らかい土で２０ｋｇｆ程度となった。これに対し、倍の長さ（４００ｍｍ）のストレート杭の引抜荷重は、硬い土でも７ｋｇｆ程度であった。本実施形態では、以上の結果をふまえて、ラセン杭１の形状を上記のように決定している。
【００２６】
また、本発明者は、ラセン杭１の打設時に安定した状態で垂直荷重および回転力（回転方向の打撃力）を加えることができ、荷重位置のずれや傾きが発生しにくい形状を検討した。また、後述する電動インパクトドライバー７（図３参照）を用いてラセン杭１を打設することを想定して、電動インパクトドライバー７への装着性、および、電動インパクトドライバー７を利用した打設作業による作業性を考慮した。その結果、上記の巻座部３の形状を選択した。すなわち、巻座部３は、杭本体部２と同心状に形成されており、中心軸線Ａ上を直線部６が通っているため、中心軸線Ａ上に安定した垂直荷重を加えることができる。また、直線部６を介して回転力を加えることにより、杭本体部２に中心ずれのない回転力を加えることができる。更に、２７０度の角度範囲にわたって円弧部５を設けているため、円弧部５をガイドすることによって杭本体部２の傾きや荷重位置のずれを抑制できる。従って、打設時の作業性が良好であり、垂直荷重および回転力の中心ずれによる線材の変形や杭の傾きも発生しにくくなっている。なお、円弧部５の中心角は２７０度よりも大きくしてもよい。
【００２７】
（ラセン杭の打設方法）
図３は電動インパクトドライバー７にチャックを介してラセン杭１を装着した状態を示す側面図である。本実施形態では、ラセン杭１を地面などの打設面に打設する際には、充電式の電動インパクトドライバー７などの電動工具を利用して行う。図３に示すように、電動インパクトドライバー７の出力軸８には、各種の先端工具を取り付けるための工具取付部９が設けられている。この工具取付部９の先端には、先端工具の後端に設けられた軸体（シャンク）を差し込むための差込穴９ａが設けられており、差込穴９ａ内には軸体を締め付けるための図示しない爪部が設けられている。工具取付部９は、適切に操作することにより、軸体を爪部で締め付けて先端工具の抜けを防止した状態、および、爪部を緩めた状態に切り換えて先端工具を着脱することができる。
【００２８】
図４はチャックの側面図および平面図であり、図４（ａ）は側面図、図４（ｂ）は平面図である。また、図５はチャックの縦断面図（図５（ａ）は図４（ｂ）のＸ−Ｘ断面図、図５（ｂ）は図４（ｂ）のＹ−Ｙ断面図）である。チャック１０は、工具取付部９にチャック１０を固定するためのシャンク１１が一端に設けられた概略円筒形のチャック本体部１２を備えている。シャンク１１は、チャック本体部１２の一端側の端面から同軸状に突出している。シャンク１１の外周面は、円筒形の外周面を部分的に平面状に削った形状となっている。この平面状の部分（平面部）は、工具取付部９における爪部の配置と対応する位置に形成されており、各平面部はシャンク１１の軸線方向に延びている。本実施形態では、３箇所の平面部が周方向に１２０度の角度ピッチで形成されている。このように、シャンク１１を概略三角形の断面形状にしたことにより、チャック１０を工具取付部９に対して回転不能に装着することができる。
【００２９】
チャック本体部１２の他端側には、一回り大径の大径部１３が形成されており、この大径部１３の端面に、ラセン杭１の巻座部３を嵌め込むための杭装着部１４が形成されている。杭装着部１４は、チャック本体部１２の中心軸線Ｂを中心とする環状のガイド溝１５（ガイド部）と、ガイド溝１５の直径方向に延びる直線状のガイド溝１６を備えている。ガイド溝１５、１６は、ガイド溝１５内に巻座部３の円弧部５を装着し、且つ、ガイド溝１６内に直線部６を装着可能な寸法に形成されている。すなわち、ガイド溝１５、１６の溝幅および溝深さは線材１ａの径寸法に対応しており、ガイド溝１５の外径は巻座部３の外径に対応している。
【００３０】
チャック１０には、巻座部３を杭装着部１４に装着した際に、巻座部３の外れを防止するための以下に説明するクランプ機構およびそのロック機構が設けられている。すなわち、大径部１３の端面には、ガイド溝１６と直交する直線状のクランプ設置溝１７が設けられている。クランプ設置溝１７は、チャック本体部１２の中心軸線Ｂの位置でガイド溝１６と交差しており、チャック本体部１２の軸線方向に所定深さで切り込まれている。クランプ設置溝１７の両端は、大径部１３の端面付近ではガイド溝１５に接続されており、大径部１３の上部からその上方に位置するチャック本体部１２の下半分までの部分では、その外周面に開口している。チャック本体部１２の外周側には、このクランプ設置溝１７の開口部位を覆うように、円筒形のシリンダー１８（ロック機構）が装着されている。クランプ設置溝１７内には、チャック本体部１２の中心軸線Ｂを挟んで対称となるように、一対のクランプ部材１９、２０が設置されている。クランプ部材１９、２０は、クランプ設置溝１７の溝方向と直交する方向に延びる支持軸１９ａ、２０ａによって揺動可能に支持されている。また、クランプ部材１９、２０の下端には、ガイド溝１６内に装着された線材１ａ（直線部６）を両側から挟み込むための挟み込み面１９ｂ、２０ｂが形成されている。
【００３１】
図６はクランプ部材の動作を示す説明図である。図６（ｂ）に示すように、シリンダー１８をチャック本体部１２の上端まで上げると、クランプ設置溝１７の両端が開口状態となり、クランプ部材１９、２０がチャック本体部１２の外周面よりも径方向外側に突出可能となる。クランプ部材１９、２０における支持軸１９ａ、２０ａよりも上方の位置には、クランプ部材１９、２０に両端が固定されたコイルばね２１が設置されている。クランプ部材１９、２０は、このコイルばね２１によって付勢されているため、シリンダー１８が上昇すると、クランプ部材１９、２０の下端側が径方向外側に向かって揺動する。これにより、挟み込み面１９ｂ、２０ｂの隙間が拡がり、クランプ部材１９、２０による線材１ａ（直線部６）の挟み込み状態が解除される。つまり、シリンダー１８を上げると、クランプ機構のロック解除状態が形成され、線材１ａをガイド溝１６内に着脱可能となる。
【００３２】
一方、図６（ａ）に示すように、シリンダー１８を大径部１３に当接する位置まで下げると、クランプ設置溝１７の両端がシリンダー１８によって閉鎖され、クランプ部材１９、２０の径方向外側への突出が規制される。従って、クランプ部材１９、２０の下端側がコイルばね２１による付勢力に逆らって径方向内側に揺動し、挟み込み面１９ｂ、２０ｂが線材１ａ（直線部６）を両側から挟み込んだ状態となる。つまり、この状態では、挟み込み面１９ｂ、２０ｂの間から線材１ａ（直線部６）を取り外すことが不能となり、クランプ機構のロック状態が形成されている。このように、シリンダー１８は、クランプ機構をロック状態とロック解除状態に切り換えるためのロック機構を構成している。
【００３３】
以上のように、本実施形態では、チャック１０を用いることにより、ラセン杭１を電動インパクトドライバー７に着脱可能に装着することができる。ここで、上述したように、ガイド溝１５はチャック本体部１２と同心状であるため、杭装着部１４に巻座部３を装着すると、チャック本体部１２の中心軸線Ｂとラセン杭１の中心軸線Ａとが一致する。つまり、チャック１０を介してラセン杭１を電動インパクトドライバー７に装着すると、電動インパクトドライバー７の出力軸８の回転軸線Ｃとラセン杭１の中心軸線Ａとを一致させた状態にラセン杭１を装着できる。また、このとき、ラセン杭１の中心軸線Ａを通る直線部６がガイド溝１６内に嵌まっているだけでなく、その外周側の円弧部５までもガイド溝１５に嵌まってガイドされているため、チャック１０とラセン杭１との一体感が高められている。更に、クランプ部材１９、２０およびシリンダー１８により、ラセン杭１の脱落および装着位置のずれが防止されている。従って、電動インパクトドライバー７側からラセン杭１に対して、中心ずれのない垂直荷重および回転力（回転方向の打撃力）を安定して加えることが可能となる。また、このとき、片手をラセン杭１に添えて支持する必要がなくなり、両手で垂直荷重を加えることができる。従って、打設時の作業性が良好であり、ラセン杭１の変形や傾きなども発生しにくい。
【００３４】
このように、充電式の電動インパクトドライバー７を利用した打設作業では、従来の人力による打設作業と比較して、作業負荷を大幅に軽減できる。更に、電源コードを引き回す必要がないため、極めて作業性が良好である。
【００３５】
（防草用シートの施工方法）
次に、図７、図８を参照しながら、本発明を適用したラセン杭１を用いた防草用シートの施工方法について説明する。図７は防草用シートを施工した地面の断面構成を示す説明図、図８は施工後の防草用シートにおけるラセン杭１の固定箇所を示す平面図である。防草用シート３０は、規則的な凹凸パターンが形成されたエンボスシートであり、屋外に常設して雑草などの繁茂を防止するのに適した、防水性、耐候性、強度、遮光性、軽量性などを備えている。防草用シート３０の素材は特に限定されないが、例えば、高密度ポリエチレンなどの合成樹脂を用いることができる。
【００３６】
防草用シート３０は、概略四角錐の先端を切断して角を丸めた形状の凸部３１が千鳥状に並んで形成されると共に、隣接する凸部３１間に、凸部３１を上下反転させた形状の凹部３２が形成されている。このように、凸部３１と凹部３２が反転形状であって交互に配置されているため、裏表を逆にすると凸部３１と凹部３２が入れ替わり、裏表の区別なく使用できる構成となっている。また、防草用シート３０は、全体として可撓性を有しており、凹凸のある地面Ｇに沿って敷設可能である一方、地面に敷いた状態でその上を人や重量物が通っても凸部３１および凹部３２が潰れることなく、形状を保つことができる程度の強度を有している。
【００３７】
図７に示すように、本実施形態では、防草用シート３０を地面Ｇに敷設し、その上からラセン杭１を一定間隔で打設することにより、防草用シート３０を地面に固定する。打設後の各ラセン杭１は、図８に示すように、巻座部３が防草用シート３０の表面の凹凸形状に係合している。すなわち、円弧部５および直線部６を形成している線材１ａが凹部３２の上を通り、凸部３１の間の隙間に嵌まった状態を形成できるように、巻座部３の形状が設定されている。このように、巻座部３がエンボス形状の隙間に嵌まった状態を形成していると、防草用シート３０の上を人や物体が移動するときに巻座部３に力が加わりにくい。また、直線部６が凸部３１の隙間に嵌まった状態になっていると、巻座部３の回転が困難であり、ラセン杭１の抜け方向への回転が困難である。従って、打設後のラセン杭１が抜け難く、防草用シート３０のめくれや浮き上がりを効果的に抑制できる。
【００３８】
本発明者は、防草用シート３０を敷いた地面Ｇに対して電動インパクトドライバー７を用いてラセン杭１を打設する試験を行い、打設性の確認試験を行った。その結果、本実施形態のラセン杭１は、上述したように打設面に食い込みやすい構成となっているため、防草用シート３０を容易に貫通できること、および、ラセン杭１の変形などの不具合を起こさずに垂直に打設でき、高い引抜荷重が得られ、強固に防草用シート３０を固定できることを確認した。また、電動インパクトドライバー７を用いて打設するときは、防草用シート３０を貫通するまではチャック１０に手を添えて垂直荷重および回転方向の打撃力を加え、ラセン杭１が防草用シート３０を貫通した後は、ラセン杭１が回転しながら地面Ｇに侵入するのに伴う防草用シート３０の浮き上がりを防止するため、防草用シート３０を地面Ｇに押さえ付けながら打設を行うことが望ましいとの知見を得ている。
【００３９】
ラセン杭１は、上述したように、従来のストレート杭よりも格段に短い長さであっても十分な引抜荷重が得られる。従って、従来のストレート杭を打ち込み可能な深さを確保できない地面に対しても、ラセン杭１を用いることによって防草用シート３０を施工することが可能である。
【符号の説明】
【００４０】
１      ラセン杭
１ａ    線材
２      杭本体部
３      巻座部
４      切断面
５      円弧部
６      直線部
７      電動インパクトドライバー
８      出力軸
９      工具取付部
９ａ    差込穴
１０    チャック
１１    シャンク
１２    チャック本体部
１３    大径部
１４    杭装着部
１５    ガイド溝（ガイド部）
１６    ガイド溝
１７    クランプ設置溝
１８    シリンダー（ロック機構）
１９、２０        クランプ部材
１９ａ、２０ａ    支持軸
１９ｂ、２０ｂ    挟み込み面
２１    コイルばね
３０    防草用シート
３１    凸部
３２    凹部
Ａ      中心軸線
Ｂ      中心軸線
Ｃ      回転軸線
Ｇ      地面
Ｌ１    外径
Ｌ２    長さ
θ      捩れ角
【図１】
0005825923.tif 000002
【図２】
0005825923.tif 000003
【図３】
0005825923.tif 000004
【図４】
0005825923.tif 000005
【図５】
0005825923.tif 000006
【図６】
0005825923.tif 000007
【図７】
0005825923.tif 000008
【図８】
0005825923.tif 000009